(57)【要約】      （修正有）【課題】撮像画像からユーザが望む構図を容易に抽出できる撮像装置を提供する。【解決手段】光学ズームを有する光学ズーム手段と、被写体を撮像する撮像手段とを有する撮像装置において、撮像手段による撮像の際に、光学ズーム手段の光学ズームを広角側にズームアウトし、ズームアウトされた構図で撮像を行う。撮像された撮像画像を解析し、画像内の少なくとも１つの推薦構図領域を抽出し、推薦構図領域が複数ある場合は、複数ある推薦構図領域の画像候補をユーザの操作により順次表示する。表示された画像候補から、ユーザにより指定された構図領域を記憶する。【選択図】図１
2016032242.tif 000002
【特許請求の範囲】
【請求項１】
光学ズームを有する光学ズーム手段と、
被写体を撮像する撮像手段とを有する撮像装置において、
前記撮像手段による撮像の際に、光学ズーム手段の光学ズームを広角側にズームアウトするズーム制御手段と、
前記撮像手段は、前記ズーム制御手段によりズームアウトされた構図で撮像を行い、
前記撮像手段で撮像された撮像画像を解析し、当該画像内の少なくとも１つを推薦構図領域として抽出する構図抽出手段と、
前記推薦構図領域が複数ある場合、複数ある前記推薦構図領域の画像候補をユーザの操作により順次表示する表示手段と、
前記表示手段の表示された画像候補から、ユーザにより指定された構図領域を記憶する記憶手段と
を有することを特徴とする撮像装置。
【請求項２】
前記ズーム制御手段は、光学ズーム手段の最も広角側にズームアウトさせることを特徴とする請求項１に記載の撮像装置。
【請求項３】
前記表示手段は、ユーザにより構図モードの選択を受け付けることにより、表示順を設定することを特徴とする請求項１又は２に記載の撮像装置。
【請求項４】
前記撮像手段により撮像された撮像画像を解析する際に、撮像されている被写体の人数を取得する人数取得手段と、
前記人数取得手段により、取得された人数により、前記表示手段の表示順を制御することを特徴とする請求項１乃至３に記載の撮像装置。
【請求項５】
前記構図抽出手段は、前記構図モードにより、推薦構図領域が異なる構図領域を抽出し、
前記表示手段は、ユーザの指示により、構図モードを替えた推薦構図領域を表示するのか、同じ撮影モードの次の推薦構図領域を表示するかを切り替えることを特徴とする請求項３又は４に記載の撮像装置。
【請求項６】
前記表示手段は、ユーザに指示により、縦向き（縦長）の構図領域を選ぶか、横向き（横長）の構図領域を選ぶかを切り替えることを特徴とする請求項１乃至５に記載の撮像装置。
【請求項７】
光学ズームを有する光学ズーム手段と、
被写体を撮像する撮像手段とを有する撮像装置における撮像方法であって、
前記撮像手段による撮像の際に、光学ズーム手段の光学ズームを広角側にズームアウトするズーム制御工程と、
前記撮像手段は、前記ズーム制御工程によりズームアウトされた構図で撮像を行い、
前記撮像手段で撮像された撮像画像を解析し、当該画像内の少なくとも１つを推薦構図領域として抽出する構図抽出工程と、
前記推薦構図領域が複数ある場合、複数ある前記推薦構図領域の画像候補をユーザの操作により順次表示する表示制御工程と、
前記表示制御工程により表示された画像候補から、ユーザにより指定された構図領域を登録する登録工程と
を有することを特徴とする撮像方法。
【請求項８】
請求項７に記載された撮像方法を撮像装置に実行させるためのプログラム。
【請求項９】
請求項７に記載された撮像方法を撮像装置に実行させるためのプログラムを記録したコンピュータ読み取り可能な記録媒体。
【発明の詳細な説明】
【技術分野】
【０００１】
本発明は、撮像装置に撮像される画像の構図を調整する技術に関する。
【背景技術】
【０００２】
撮像装置を使用して観光地などの写真撮影を行う場合、子供やお年寄り、写真撮影に慣れていない人はカメラの構図を合わせることが難しい場合があり、写したい建物が切れてしまうなどの場合がある。また、カメラに慣れていないユーザは、すべて同じ向き、同じ大きさで撮影しがちで、ズームや縦横を適切に変更せずに撮影してしまう場合がある。
【０００３】
特許文献１には、撮影者が特に構図に気を配ることなく良好な構図の画像を得ることが可能となる技術が開示されている。
【先行技術文献】
【特許文献】
【０００４】
【特許文献１】特開２００８−９２０４６号公報
【発明の概要】
【発明が解決しようとする課題】
【０００５】
しかしながら、特許文献１のカメラでは、ユーザによる撮影モードやトリミングの向きの選択が考慮されていないため、ユーザの望む構図の画像を抽出する作業が煩雑になると言う問題がある。
【０００６】
また、特許文献１では、光学ズームを調整する構成が記載されていないので、現在撮影されている範囲内でしか撮影の構図が設定できず、構図設定の自由度が限られている。
【０００７】
本発明の目的は、撮像画像からユーザが望む構図を容易に抽出できる撮像装置を提供することである。
【課題を解決するための手段】
【０００８】
上記課題を解決するために、本発明は、光学ズームを有する光学ズーム手段と、被写体を撮像する撮像手段とを有する撮像装置において、前記撮像手段による撮像の際に、光学ズーム手段の光学ズームを広角側にズームアウトするズーム制御手段と、前記撮像手段は、前記ズーム制御手段によりズームアウトされた構図で撮像を行い、前記撮像手段で撮像された撮像画像を解析し、当該画像内の少なくとも１つを推薦構図領域として抽出する構図抽出手段と、前記推薦構図領域が複数ある場合、複数ある前記推薦構図領域の画像候補をユーザの操作により順次表示する表示手段と、前記表示手段の表示された画像候補から、ユーザにより指定された構図領域を記憶する記憶手段とを有することを特徴とする。
【発明の効果】
【０００９】
本発明によれば、撮像画像からユーザが望む構図を容易に抽出できる撮像装置を提供可能という効果を有する。
【図面の簡単な説明】
【００１０】
【図１】本実施形態における画像再生装置の一例としての撮像装置１００の外観図である。
【図２】本実施形態における撮像装置１００の構成例を示すブロック図である。
【図３】本実施形態における撮像装置１００の全体的な動作を示すフローチャートである。
【図４】本願発明の表示部５４に表示される構図モードを選択させる画面のイメージ図である。
【図５】本願発明の表示部５４に表示されるモード選択画面のイメージ図である。
【図６】本願発明における撮像した元画像と、「風景」モードで構図を抽出する範囲を示した模式図である。
【図７】本願発明における「人物」モードで構図を抽出する範囲を示した模式図である。
【図８】本願発明における「ポートレート」モードで構図を抽出する領域と、画像表示部２８に表示された画面イメージを示した模式図である。
【発明を実施するための形態】
【００１１】
以下、添付の図面を参照して本発明の好適な実施形態を説明する。
［撮像装置の構成について］
【００１２】
図１に本発明の撮像装置１００の一例としての外観図を示す。画像表示部２８は画像や各種情報を表示する表示部である。シャッターボタン６１は撮影指示を行うための操作部である。モードダイアル６０は各種モードを切り替えるための操作部である。コネクタ１１２は接続ケーブルと撮像装置１００とのコネクタである。操作部７０はユーザからの各種操作を受け付ける各種スイッチ、ボタン、タッチパネル等の操作部材より成る操作部である。記録媒体２００はメモリカードやハードディスク等の記録媒体である。記録媒体スロット２０１は記録媒体２００を格納するためのスロットである。記録媒体スロット２０１に格納された記録媒体２００は、撮像装置１００との通信が可能となる。蓋２０３は記録媒体スロット２０１の蓋である。
【００１３】
図２は撮像装置１００の構成例を示すブロック図である。
【００１４】
図２において、１０は撮影レンズ、１２は絞り機能を備えるシャッター、１４は光学像を電気信号に変換する撮像素子である。１６はＡ／Ｄ変換器であり、撮像素子１４のアナログ信号出力をデジタル信号に変換する。１８はタイミング発生回路であり、撮像素子１４、Ａ／Ｄ変換器１６、Ｄ／Ａ変換器２６にクロック信号や制御信号を供給する。タイミング発生回路１８は、メモリ制御回路２２及びシステム制御回路５０により制御される。
【００１５】
２０は画像処理回路であり、Ａ／Ｄ変換器１６からのデータあるいはメモリ制御回路２２からのデータに対して所定の画素補間処理や色変換処理を行う。また、画像処理回路２０は、撮像した画像データを用いて所定の演算処理を行う。システム制御回路５０は、画像処理回路２０において得られた演算結果に基づいて、ＡＦ（オートフォーカス）処理、ＡＥ（自動露出）処理、ＥＦ（フラッシュプリ発光）処理、ＴＴＬ方式のＡＷＢ（オートホワイトバランス）処理を行う。
【００１６】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１７】
２４は画像表示メモリ、２６はＤ／Ａ変換器、２７はＤ／Ａ変換器２６の出力を外部モニタに出力する外部出力コネクタである。外部出力コネクタ２７にコネクタが挿されている場合は、システム制御回路５０は外部出力接続検知部１０８により外部出力状態を知ることができる。
【００１８】
２８は画像表示部であり、例えばＴＦＴタイプのＬＣＤで構成される。画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。また、画像表示部２８は、システム制御回路５０の指示により任意に表示をＯＮ／ＯＦＦすることが可能であり、表示をＯＦＦにした場合には撮像装置１００の電力消費を大幅に低減することができる。
【００１９】
さらに、画像表示部２８は、回転可能なヒンジ部によって撮像装置１００本体と結合されており、自由な向き、角度を設定して電子ファインダ機能や再生表示機能、各種表示機能を使用することが可能である。また、画像表示部２８の表示部分を撮像装置１００に向けて格納することが可能である。この場合、システム制御回路５０は、画像表示部開閉検知部１０６により画像表示部２８の表示部分の格納状態を検知して、画像表示部２８の表示動作を停止することができる。
【００２０】
３０は、撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。メモリ３０は、記録媒体２００や２１０の書き込みバッファとしても使われる。３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２１】
４０は露光制御部であり、絞り機能を備えるシャッター１２を制御する。露光制御部４０は、フラッシュ４８と連携することによりフラッシュ調光機能も有する。４２は撮影レンズ１０のフォーカシングを制御する測距制御部、４４は撮影レンズ１０のズーミングを制御するズーム制御部である。４６はバリア制御部であり、撮影レンズ１０を含む撮像部を保護するレンズバリア１０２の動作を制御する。４８はフラッシュであり、ＡＦ補助光の投光機能、フラッシュ調光機能も有する。露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行う。
【００２２】
５０はシステム制御回路であり、撮像装置１００全体を制御する。システム制御回路５０は、不揮発性メモリ５６に記録されたプログラムを実行することで、後述する各実施例の処理を実現する。５２は、システム制御回路５０の動作用の定数、変数、不揮発性メモリ５６から読み出したプログラム等を展開するメモリである。
【００２３】
５４は表示部であり、システム制御回路５０でのプログラムの実行に応じて、文字、画像、音声等を用いて動作状態やメッセージ等を表示する液晶表示装置やスピーカ等で構成される。表示部５４は撮像装置１００の操作部近辺の視認し易い位置に単数あるいは複数個所設置され、例えばＬＣＤやＬＥＤ、発音素子等の組み合わせにより構成されている。また、表示部５４は、その一部の機能が光学ファインダ１０４内に設置されている。表示部５４の表示内容のうち、ＬＣＤ等に表示するものとしては、絞り値表示、露出補正表示、フラッシュ表示、マクロ撮影表示、ブザー設定表示、電池残量表示、エラー表示、記録媒体２００及び２１０の着脱状態表示等がある。また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００２４】
５６は電気的に消去・記録可能な不揮発性メモリであり、例えばＥＥＰＲＯＭが用いられる。不揮発性メモリ５６には、システム制御回路５０の動作用の定数、プログラム等が記憶される。ここでいう、プログラムとは、後述の各種フローチャートを実行するためのプログラムのことである。５８はタイマであり、記録媒体２００や２１０のデータ記録速度や、取得するデータのデータレートを測定するために使われる。
【００２５】
６０、６２、６４、６６、６８及び７０は、システム制御回路５０の各種の動作指示を入力するための操作機構であり、スイッチやダイアル、タッチパネル、視線検知によるポインティング、音声認識装置等の単数或いは複数の組み合わせで構成される。以下、これらの操作機構の具体的な説明を行う。
【００２６】
６０はモードダイアルスイッチで、電源オフ、自動撮影モード、撮影モード（パノラマ撮影モード、動画撮影モード含む）、再生モード、マルチ画面再生・消去モード、ＰＣ接続モード等の各機能モードを切り替え設定することができる。６２はシャッタースイッチ（ＳＷ１）であり、シャッターボタン６１の操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。６４はシャッタースイッチ（ＳＷ２）で、シャッターボタン６１の操作完了でＯＮとなり、撮像素子１４から読み出した信号をＡ／Ｄ変換器１６、メモリ制御回路２２を介してメモリ３０に画像データを書き込む露光処理の動作開始を指示する。同時に、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始も指示される。また動画撮影の場合は動画撮影の開始・停止が指示される。
【００２７】
６６は画像表示ＯＮ／ＯＦＦスイッチで、画像表示部２８のＯＮ／ＯＦＦを設定することができる。この機能により、光学ファインダ１０４を用いて撮影を行う際に、ＴＦＴ  ＬＣＤ等から成る画像表示部２８への電流供給を遮断することにより、省電力を図ることが可能となる。６８はクイックレビューＯＮ／ＯＦＦスイッチで、撮影直後に撮影した画像データを自動再生するクイックレビュー機能を設定する。なお、本実施形態では特に、画像表示部２８をＯＦＦとした場合におけるクイックレビュー機能の設定をする機能を備えるものとする。
【００２８】
操作部７０は各種ボタンやタッチパネル等からなる。具体的に例示すると、以下の通りとなる。メニューボタン。セットボタン。マクロボタン。マルチ画面再生改ページボタン。フラッシュ設定ボタン。単写／連写／セルフタイマー切り替えボタン。メニュー移動＋（プラス）ボタン。メニュー移動−（マイナス）ボタン。再生画像移動＋（プラス）ボタン。再生画像移動−（マイナス）ボタン。撮影画質選択ボタン。露出補正ボタン。日付／時間設定ボタン。各種機能の選択及び切り替えを設定する選択／切り替えボタン。各種機能の決定及び実行を設定する決定ボタン。画像表示部２８のＯＮ／ＯＦＦを設定する表示ボタン。撮影直後に撮影した画像データを自動再生するクイックレビュー機能を設定するクイックレビューＯＮ／ＯＦＦスイッチ。撮影時においてはズームと広角の調節、再生時においては画像表示の拡大／縮小の調節や１画面表示／マルチ画面表示の切り替えを行うズーム操作部。ＪＰＥＧ（Ｊｏｉｎｔ  Ｐｈｏｔｏｇｒａｐｈｉｃ  Ｅｘｐｅｒｔ  Ｇｒｏｕｐ）圧縮の圧縮率を選択するため、或いは撮像素子の信号をそのままデジタル化して記録媒体に記録するＣＣＤＲＡＷモードを選択するための圧縮モードスイッチ。撮影範囲を合成するための合成範囲指定のためのタッチパネルなど。
【００２９】
電源制御部８０は、電池の装着の有無、電池の種類、電池残量の検出を行い、検出結果及びシステム制御回路５０の指示に基づいて、必要な電圧を必要な期間、記録媒体を含む各部へ供給する。８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源部である。
【００３０】
９０及び９４はメモリカードやハードディスク等の記録媒体とのインターフェースである。９２及び９６はメモリカードやハードディスク等の記録媒体と接続を行うコネクタである。９８は記録媒体着脱検知部であり、コネクタ９２及び或いはコネクタ９６に記録媒体２００或いは２１０が装着されているか否かを検知する。
【００３１】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。さらに、インターフェース９０及び９４、そしてコネクタ９２及び９６に各種通信カードを接続することにより、他機器との間で画像データや画像データに付属した管理情報を転送し合うことができる。
【００３２】
１０２は、撮像装置１００のレンズ１０を含む撮像部を覆う事により、撮像部の汚れや破損を防止するレンズバリアである。１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。１０６は画像表示部開閉検知部であり、画像表示部２８が表示部分を撮像装置１００に向けて格納した格納状態にあるかどうかを検知することができる。ここで、格納状態にあると検知したならば画像表示部２８の表示動作を停止して不要な電力消費を禁止することが可能である。
【００３３】
１０８は外部出力コネクタ接続検知部であり、外部出力コネクタ２７に外部モニタが接続されているかどうかを検知することができる。ここで、接続状態にあると検知したならば画像表示部２８の代わりに外部モニタを表示装置として用いることが可能である。１０９は、ＲＴＣ（ＲｅａｌＴｉｍｅ  Ｃｌｏｃｋ）であり、電源制御部８０とは別に内部に電源部を保持し、電源部８６が電源供給していない状態であっても、時計動作状態を続けている。システム制御回路５０は、起動時にＲＴＣ１０９より取得した日時を用いてタイマ制御する。
【００３４】
１１０は通信部であり、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信部１１０により撮像装置１００を他の機器と接続するコネクタ或いはアンテナ（無線通信の場合）である。
【００３５】
１１４はマイクであり、音声データ取得部として機能する。１１６はＡ／Ｄ変換器であり、マイク１１４で得られた音声データをシステム制御回路５０で取得するためにＡ／Ｄ変換する。１１８はスピーカであり、音声データ再生部として機能する。１２０はＤ／Ａ変換器であり、システム制御回路５０から出力されるデジタル音声データをスピーカ１１８で再生するためにＤ／Ａ変換する。
【００３６】
２００，２１０はメモリカードやハードディスク等の記録媒体である。記録媒体２００，２１０は、半導体メモリや磁気ディスク等から構成される記録部２０２，２１２、撮像装置１００とのインターフェース２０４，２１４、撮像装置１００と接続を行うコネクタ２０６，２１６を備えている。また、この記録媒体２００，２１０がＰＣＭＣＩＡ規格のＰＣ−ＣａｒｄやＣＦ等の場合は、性能が記されている情報記憶回路を内蔵していることもある。
［撮像装置の全体動作について］
【００３７】
次に、本発明に係る処理の流れを図３を参照して説明する。
【００３８】
図３は、本実施形態の撮像装置１００の全体的な動作を説明するフローチャートである。このフローチャートにおける各処理は、システム制御部５０が不揮発性メモリ５６等に格納されたプログラムをシステムメモリ５２に展開して実行することにより実現される。
【００３９】
まず、電源スイッチ７２が操作され電源がオンに切り替わると、図３のフローチャートが開始される。
【００４０】
ステップＡ−１において、撮像装置１００のシステム制御回路５０は撮像装置のモード入力を受け付ける。モード入力受付は、モードダイアル６０で設定位置毎にモードを受け付ける。なお、図５のように、表示部５４にモード設定画面を表示して、選択させるようにしても良い。
【００４１】
モードダイアル６０が自動構図決定モードに設定されている、もしくは図５のようなモード設定画面において、自動構図決定モード撮影がＯＮの場合に、処理はステップＡ−２へ進み、撮影モード処理を実行する。
【００４２】
次に、ステップＡ−２−１において、撮像装置１００のシステム制御回路５０は、ズーム制御部４４を介して、ズームレンズをもっとも広角になるように、ズームアウト処理を行う。この処理により、ユーザは撮像装置で撮影可能な範囲の全ての撮影結果を取得することができ、その後、任意の構図を選ぶことができる。
【００４３】
次に、ステップＡ−２−２において、撮像装置１００のシステム制御回路５０は、ユーザからのシャッターボタンの押下を受け付ける。なお、ステップＡ−２−２の処理とＡ−２−１の処理は、順序が逆でも良い。すなわち、シャッタボタンが押下された後で、ズームレンズを自動的に最も広角にズームアウトさせる構成でも良い。
【００４４】
次に、ステップＡ−３において、撮像装置１００のシステム制御回路５０は、レンズを通して受像する画像を撮像する。その後、撮影されている画像に撮影されている被写体の人数を解析し、被写体人数を取得する。人数の取得に関しては、顔検出による方法や人間の輪郭を抽出する方法、あるいはパターンマッチングによって検出する方法などがあるが、どのような方法でも撮影範囲の人数が確認できればよい。
【００４５】
次に、ステップＡ−４において、撮像装置１００のシステム制御回路５０は、被写体の人数が１人か複数人かによって処理を分ける。なお、１人も被写体に写っていない場合は、以下の選択された撮影モードは、自動的に「風景」モードへと移行する。
【００４６】
ステップＡ−４において、被写体が１人と判断された場合は、ステップＡ−５−２へと処理を移行し、被写体が複数人の場合は、ステップＡ−５−１へと処理を移行する。
【００４７】
ステップＡ−５−１に移行すると、撮像装置１００のシステム制御回路５０は、表示部５４に図４のような構図モード選択画面を表示する。
【００４８】
図４は、本願発明の表示部５４に表示される構図モードを選択させる画面のイメージ図である。
【００４９】
図４の４００は表示部５４に表示される画面イメージであり、４０１から４０３は、それぞれの構図モードを選ぶラジオボタンである。４０１から４０３のラジオボタンを操作部７０による指定、もしくは、表示部５４へのタッチパネルでの入力による指定により、最初に表示される構図モードが選択される。
【００５０】
図４の例では、「風景」モード４０１が選択されており、以後、最初の構図モードは「風景」モードとなる。
【００５１】
なお、図４では、４０３のポートレート（個人撮影）モードはグレーアウトされている。これは、複数人の被写体がいる場合は、１人だけを撮影するポートレート（個人撮影）モードを指定できないようにするためである。図３のフローチャートの説明に戻る。
【００５２】
一方、ステップＡ−４において、被写体が１人と判断された場合は、ステップＡ−５−２へと処理を移行し、ステップＡ−５−２において、撮像装置１００のシステム制御回路５０は、表示部５４に図４と同じような構図モード選択画面を表示する。但し、図４のように、ポートレート（個人撮影）モードはグレーアウトして表示せず、すべて選択可能な色として表示する。
【００５３】
図４において、ユーザから４０１から４０３のどれかの構図モードが選択されると、次のステップＡ−６の処理へと移行する。
【００５４】
ステップＡ−６において、撮像装置１００のシステム制御回路５０は、ステップＡ−５−１またはＡ−５−２で入力された構図モードによって処理を分ける。
【００５５】
ステップＡ−５−１またはＡ−５−２で「風景」モードが選択されると、ステップＡ−９へと処理を移行し、ステップＡ−９において、撮像装置１００のシステム制御回路５０は、撮像した画像から「風景」モードにトリミングした画像を画像表示部２８に表示する。「風景」モードの際の画像表示部２８に表示される範囲を示す図を図６を参照して説明する。
【００５６】
図６は、本願発明における撮像した元画像と、「風景」モードで構図を抽出する範囲（推薦構図領域）を示した模式図である。図６の６つの画像は全て同じ画像であり、画像の中に太枠で記載されている範囲が、「風景」モードの中で、抽出される範囲が異なるパターンを示している。
【００５７】
図６の６００は撮像した元画像であり、人物が６１０として１人撮影されている場合である。なお、複数人撮影されている場合であっても処理の流れは同じである。図３のフローチャートと比較しながら、処理の流れを説明する。
【００５８】
ステップＡ−９において、まずは、撮像した元画像から「風景」モードの基本構図を抽出する。図６の６１１が「風景」モードでの基本構図に該当し、６０１の例では撮像した元画像全体の９０％を抽出するように設定されている場合の図である。
【００５９】
次に、ステップＡ−１１に進むと、撮像装置１００のシステム制御回路５０は、ユーザからタッチパネルで構成された操作部７０のスライド（スワイプ）操作、もしくは上下左右のボタン操作を受け付けたか、後に説明する確定ボタンが押下されたかにより、処理を分岐する。なお、以下の処理でスライド操作で説明する処理は、図１の操作部７０にあるカーソル操作でも代用できる。
【００６０】
ユーザから操作部７０のスライド操作を受け付けた場合、ステップＡ−１２へと処理を移行し、撮像装置１００のシステム制御回路５０は、ユーザのスライド操作が横スライド操作か縦スライド操作かによって処理を分ける。
【００６１】
ステップＡ−１１でのスライド操作が横スライド操作の場合、ステップＡ−１５へと処理を移行し、ステップＡ−１５において、撮像装置１００のシステム制御回路５０は、構図のレイアウトを変えた範囲を抽出構図とする。図６を参照してステップＡ−１５の処理を説明する。
【００６２】
図６の６１１が「風景」モードで抽出された構図であるが、横スライド操作を受け付けると、たとえば、６０２内の６１２のように、抽出面積を変えずに撮像した元画像の右上の範囲にレイアウトを変えることにより、抽出する構図を変えて表示する。
【００６３】
一方、ステップＡ−１１でのスライド操作が縦スライド操作の場合、ステップＡ−１４へと処理を移行し、ステップＡ−１４において、撮像装置１００のシステム制御回路５０は、撮像した元画像から構図のトリミング向きを変えた領域を抽出する。すなわち、縦長にトリミングしていたら、構図を横長に、横長にトリミングをしていたら、構図を縦長に抽出しなおす。図６を参照してステップＡ−１４の処理を説明する。
【００６４】
図６の６１１が「風景」モードで抽出された構図であるが、縦スライド操作を受け付けると、たとえば、６０４内の６１４のように、縦横のアスペクトレシオを交換した抽出領域を指定して表示する。
【００６５】
ステップＡ−１４やステップＡ−１５の処理が終了すると、次にステップＡ−１１へと処理を移行し、撮像装置１００のシステム制御回路５０は、再びユーザからタッチパネルで構成された操作部７０のスライド操作か、後に説明する確定ボタンが押下されたかにより、処理を分岐する。
【００６６】
ここでユーザが今の構図が気に入らない場合、さらにスライド操作することにより、レイアウトを変更することができる。たとえば、６０２内の６１２や、６０４内の６１４のような構図を提示している場合に、横スライド操作を受け付けると、撮像装置１００のシステム制御回路５０は、それぞれレイアウトが異なる６０３内の６１３や６０５内の６１５のような構図を提示する。
【００６７】
このように、「風景」モードであっても、ユーザの嗜好に合わせてレイアウトやトリミングの向きを変更して構図を確定することができる効果を有する。図３のフローチャートの説明に戻る。
【００６８】
図３のステップＡ−５−１またはＡ−５−２で「人物」モードが選択されると、ステップＡ−７もしくは、ステップＡ−１０へと処理を移行し、ステップＡ−７もしくはステップＡ−１０において、撮像装置１００のシステム制御回路５０は、撮像した画像から「人物」モードにトリミングした画像を画像表示部２８に表示する。「人物」モードの際の画像表示部２８に表示される範囲を示す図を図７を参照して説明する。
【００６９】
図７は、本願発明における「人物」モードで構図を抽出する範囲（推薦構図領域）を示した模式図である。図７の７００，７０１は、被写体が１人の場合の抽出領域を太枠線で示したもので、７０２〜７０５は被写体に複数人が含まれている場合の抽出領域を太枠線で示したものである。
【００７０】
図７の７００の７１０は図６の６００を元にした「人物」モードで抽出した領域であり、「人物」では、撮影されている人物の全身が構図の中に入るように、構図領域を制御する処理を行う。なお、人物の全身が構図に入るように撮影するために、撮像装置は顔検出手段と顔から続くオブジェクトや輪郭を抽出する手段とを有していても良い。図３のフローチャートと比較しながら、処理の流れを説明する。
【００７１】
ステップＡ−７において、まずは、撮像した元画像６００から「人物」モードの基本構図を抽出する。図７の７１０が「人物」モードでの基本構図に該当し、７００の例では撮像した元画像から、被写体の人物の全身７２０が構図に入るように構図領域を特定した例である。
【００７２】
また、被写体が複数人の場合の画像の構図抽出領域の処理ステップＡ−１０を図７の７０２を参照して説明する。
【００７３】
７０２のような複数人が撮像された撮像画像の場合の「人物」モードでの構図は、複数人の全身が入るような構図として、７１２で指定したような領域をまず選択する。
【００７４】
ステップＡ−７やステップＡ−１０で決められた構図を画像表示部２８に表示させた状態で、前述したステップＡ−１１の処理のように、撮像装置１００のシステム制御回路５０は、ユーザからタッチパネルで構成された操作部７０のスライド操作を受け付けたか、後に説明する確定ボタンが押下されたかにより、処理を分岐する。
【００７５】
ユーザから操作部７０のスライド操作を受け付けた場合、前述したステップＡ−１２の処理と同じように、撮像装置１００のシステム制御回路５０は、ユーザのスライド操作が横スライド操作か縦スライド操作かによって処理を分ける。
【００７６】
ステップＡ−１２において、ステップＡ−１１でのスライド操作が縦スライド操作であった場合は、前述したステップＡ−１４へと処理へと移行する。ステップＡ−１４において、撮像装置１００のシステム制御回路５０は、現在の構図モードにおける構図のトリミング向きを変えた領域を抽出する。すなわち、縦長にトリミングしていたら、構図を横長に、横長にトリミングをしていたら、構図を縦長に抽出しなおす。図７を参照してステップＡ−１４の処理を説明する。
【００７７】
図７の７１０のように、１人を「人物」モードの横長の構図を抽出している場合、縦スライドによって、画像７０１の７１１のような縦長の構図領域を選択して表示する。
【００７８】
一方、図７の７１２のように、複数人を「人物」モードの横長の構図を抽出している場合、縦スライド操作によって、画像７０４の７１４のような縦長の構図領域を選択して表示する。
【００７９】
一方、ステップＡ−１１でのスライド操作が横スライド操作であり、かつ、被写体が１人の場合は、ステップＡ−１３へと処理を移行し、ステップＡ−１３において、撮像装置１００のシステム制御回路５０は、構図モードを「人物」モードから、図８で後述する「ポートレート（個人撮影）」モードへと変更する。
【００８０】
一方、ステップＡ−１１でのスライド操作が横スライド操作であり、かつ、被写体が複数人の場合は、前述したステップＡ−１５の処理を実行する。ステップＡ−１１でのスライド操作が横スライド操作であり、かつ、被写体が複数人の場合の画像表示部２８に表示される領域を図７を参照して説明する。
【００８１】
図７の７０２の７１２は、最初に指定されている構図領域である。この状態で横スライド操作を受け付けると、７０３内の７１３のように、被写体である複数人の全身を含みつつ、周りの抽出面積が、たとえば、１．２５倍になるように抽出する構図に変更して表示する。
【００８２】
このような処理により、横スライド操作などを受け付けて、構図領域の次の候補を表示することにより、ユーザが好む構図をユーザに選ばせることができる。
【００８３】
また、ステップＡ−１１でのスライド操作が横スライド操作であり、かつ、被写体が１人の場合は、ステップＡ−１３へと処理を移行し、ステップＡ−１３において、撮像装置１００のシステム制御回路５０は、構図モードを「人物」モードから、「ポートレート（個人撮影）」モードへと変更する。図８を参照して、「ポートレート」モードの場合の構図抽出領域を説明する。
【００８４】
図８は、本願発明における「ポートレート」モードで構図を抽出する領域（推薦構図領域）と、画像表示部２８に表示された画面イメージを示した模式図である。図８の８００，８０１は、「ポートレート」モードで抽出される構図領域である。
【００８５】
８１０，８０２は「ポートレート」モードの場合の抽出領域を太枠線で示したものである。
【００８６】
図８の８００の８１０は図６の６００を元にした「ポートレート」モードで抽出した領域であり、「ポートレート」モードでは、撮影されている人物のバストアップの領域の画像を抽出する処理を行う。バストアップの領域の画像を取得する方法は、たとえば、顔検出機能により顔の領域を判定し、その顔サイズから大凡の領域を抽出しても良いし、他の方法でもよい。図３のフローチャートと比較しながら、処理の流れを説明する。
【００８７】
ステップＡ−１３において、撮像装置１００のシステム制御回路５０は、撮像した元画像６００の「人物」モードによる抽出領域（図７の７１０）から「ポートレート」モードの基本構図領域へと画像表示部２８への表示を切り替える。図８の８１０が「ポートレート」モードでの基本構図に該当し、８００の例では撮像した元画像から、被写体の人物のバストアップの画像が構図に入るように構図領域を特定した例である。
【００８８】
なお、ステップＡ−６において、構図モードが「ポートレート」モードと選択された場合も、図８の８１０のような構図の画像を抽出する。「ポートレート」モードが選択された際に、ステップＡ−１１において、縦スライド操作を受け付けた場合は、ステップＡ−１２において、ステップＡ−１４へと処理を移行し、図８の８０２のような、トリミングを縦長にした構図領域を抽出する。また、ステップＡ−１１において、横スライド操作を受け付けた場合は、ステップＡ−１２において、ステップＡ−１３へと処理を移行し、図７の７１０のような、構図モードが「人物」モードとなる構図領域を抽出する。図３のフローチャートの説明に戻る。
【００８９】
ステップＡ−１３やステップＡ−１４、ステップＡ−１５の処理が終了すると、ステップＡ−１１の処理へと移行し、ユーザからのタッチパネルで構成された操作部７０のスライド操作か、確定ボタンが押下されたかにより、処理を分岐する。
【００９０】
次に、確定ボタンが押下される際の処理を図８を参照して説明する。
【００９１】
図８の８１１は、８００における「ポートレート」モードの場合の画像８００の画像表示部２８に表示される画面イメージである。中央には人物８２１が表示されており、画像の一部８３０に確定ボタンが表示されている。他の「人物」モードや「風景」モードの場合でも同様に確定ボタンが表示される。
【００９２】
ステップＡ−１１において、ユーザからタッチパネル上の確定ボタン８３０の押下を受け付けると、次に、ステップＡ−１６へと処理を移行し、ステップＡ−１６において、撮像装置１００のシステム制御回路５０は、撮像された元の画像と、確定された現在表示されている構図領域を記憶媒体２００に記憶する。記憶する構図領域は、撮像された元の画像から抽出した画像でも構わないし、撮像された元の画像からの相対位置を記憶しているだけでも良い。
【００９３】
このような処理により、記憶媒体２００には、撮像された画像のユーザが好む構図で撮像された画像が保存される。また、撮影者は１度撮像するだけで、撮像装置が捉えることができる画角の全ての範囲を撮影することができるので、シャッタチャンスを逃すことなく、撮像することが可能となる。
【００９４】
以上の処理により、撮影に不慣れなユーザであっても、１回の撮像操作により、好みの構図の撮像画像を取得することができるという効果を有する。
【００９５】
以上、撮像装置により本発明を説明したが、本発明の適用はこれに限られるものではなく、携帯電話や携帯端末等の、撮影が可能な装置に適用が可能である。
【００９６】
また、本発明は、複数の機器から構成されるシステムに適用しても良いし、また、一つの機器からなる装置に適用しても良い。
【００９７】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００９８】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００９９】
その場合、プログラムの機能を有していれば、オブジェクトコード、インタプリタにより実行されるプログラム、ＯＳに供給するスクリプトデータ等、プログラムの形態を問わない。
【０１００】
プログラムを供給するためのコンピュータ読み取り可能な記憶媒体、或いは、記録媒体としては以下に示すものが考えられる。例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤＲＯＭ、ＤＶＤ−Ｒ、ＤＶＤ−ＲＷ等である。また、光／光磁気記録媒体不揮発性の半導体メモリでもよい。
【０１０１】
有線／無線通信を用いたプログラムの供給方法としては、次のような方法が考えられる。すなわち、コンピュータネットワーク上のサーバに本発明を形成するコンピュータプログラムそのもの、もしくはプログラムデータファイルを記憶し、接続のあったクライアントコンピュータにプログラムデータファイルをダウンロードするような方法である。
【０１０２】
ここで、プログラムデータファイルとしては、圧縮され、本発明を形成するコンピュータプログラムと自動インストール機能を含むファイル等も含まれる。
【０１０３】
この場合、プログラムデータファイルを複数のセグメントファイルに分割し、セグメントファイルを異なるサーバに配置することも可能である。
【０１０４】
つまり、本発明の機能処理をコンピュータで実現するためのプログラムデータファイルを複数のユーザに対してダウンロードさせるサーバ装置も本発明に含む。
【０１０５】
また、上述の実施形態の機能を実現するプログラムを暗号化し記録媒体に格納してユーザに配布し、所定の条件を満たしたユーザに対して暗号化を解く鍵情報を、ネットワークを介してダウンロードさせることによって供給するような方法も考えられる。その鍵情報を使用することにより暗号化されたプログラムを実行してコンピュータにインストールさせて本発明を実現することも可能である。
【０１０６】
コンピュータが供給されたプログラムコードを実行することにより、上述の実施形態の機能が実現される。また、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれる。
【０１０７】
さらに、供給されたプログラムコードがコンピュータの機能拡張ボードやコンピュータに接続された機能拡張ユニットに備わるメモリに格納される場合にも本発明に含まれる。また、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【符号の説明】
【０１０８】
１００  撮像装置
２８  画像表示部
６１  シャッターボタン
６０  モードダイアル
７０  操作部
２００  記録媒体
【図１】
2016032242.tif 000003
【図２】
2016032242.tif 000004
【図３】
2016032242.tif 000005
【図４】
2016032242.tif 000006
【図５】
2016032242.tif 000007
【図６】
2016032242.tif 000008
【図７】
2016032242.tif 000009
【図８】
2016032242.tif 000010